Podtech/llm-jp-corpus-v4-ja_patent huggingface dataset:
(57)【要約】      （修正有）【課題】表面もしくは裏面から入る光の大部分を通す性質を持った宝石を用いて製作する装身具において、装身具本体の装飾や色を宝石の表面に反映しないような細工を施すと同時に、宝石の破損可能性をも低くする構造を併せ持ち、デザインの幅を拡げることが可能な装身具を提供する。【解決手段】装身具本体５に取り付けられた宝石１を収納するためのスペースに、宝石とほぼ同形状の貴金属製もしくは金属製の薄い板状部材を、宝石と接するように設置することによって、強度のあまりない宝石の破損可能性を低くするとともに、薄い板状部材の装飾や色を宝石の表面から見て取れることが可能で、デザインの展開を拡げることが可能となった装身具とする。【選択図】図１
2017077420.tif 000002
【特許請求の範囲】
【請求項１】
表面及び裏面から入る光の大部分を通す宝石を用いて製作される装身具において、宝石が収納されるスペースに、宝石とほぼ同形状の貴金属製、あるいは金属製の板状部材を宝石と接するように設置することによって、宝石の破損可能性を低くするとともに、板状部材の色や装飾を、板状部材の反対方向の宝石面に反映することのできる装身具。
【請求項２】
板状部材が鍍金されている請求項1に記載の装身具。
【請求項３】
板状部材が樹脂製である請求項1に記載の装身具。
【請求項４】
宝石部分が人口宝石である請求項１に記載の装身具。
【発明の詳細な説明】
【技術分野】
【０００１】
この発明は、身に着ける装身具において、宝石の特性を最大限に引き出し、さらには装身具全体の見栄えを向上させることのできる装身具に関するものである。
【背景技術】
【０００２】
装身具に使用される宝石は数多く存在するが、その中でも特にダイヤモンドは知名度が高く、同時に高価であることも知られている。
【０００３】
ダイヤモンドはカラットと呼ばれる重量単位で価格を決定しているので、見た目が大きいものほど高価となる。
【０００４】
そのため、近年ではダイヤモンドを１ｍｍに満たない厚さでカットし、正面からは大きく見えるスライスダイヤモンドと呼ばれる宝石が製造され、市場で好評を得ている。
【０００５】
ところが、スライスダイヤモンドは厚みがないため、通常のダイヤモンドと比較すると非常に強度に乏しいものとなっている。
【０００６】
また、一般的なダイヤモンドのように、ラウンドブリリアンカットと称される、正面からの光を90％以上反射するカットを施す厚みがないので、スライスダイヤモンドは正面および裏面の装身具本体の装飾や色を、宝石の反対側面に反映してしまうという問題も併せもっている。
【０００７】
したがって、現状では、スライスダイヤモンドの外周を貴金属等の枠で囲み、装身具として作られているものがほとんどで、自由なデザインの展開をすることができない。  
【０００８】
一般的な形状の宝石では、特開２００３−１５９１０６に見るような方式もあるが、この方法では薄くカットされたスライスダイヤモンドのような宝石では、このような固定方法では破損する恐れや、全体の強度不足が懸念される。
【先行技術文献】
【特許文献】
【０００９】
【特許文献１】特開２００３−１５９１０６
【発明の概要】
【発明が解決しようとする課題】
【００１０】
この発明は前述した問題点を解決するものであり、スライスダイヤモンドのような薄い形状の宝石でも、破損する可能性を低くし、光を透過してしまうスライスダイヤモンドの特性をも利用できる、装身具を提供するものである。
【課題を解決するための手段】
【００１１】
以上の課題を解決するため、この発明では、装身具本体にスライスダイヤモンドを設置するスペースを設けるとともに、スライスダイヤモンドの下側に敷く薄い板とから装身具を成り立たせ、前述した問題を解決できるようにした。
【００１２】
この発明は、スライスダイヤモンドがどのような形状であっても、装飾品として使用中に破損する恐れがない。
【００１３】
この発明は、スライスダイヤモンドの下に補強の意味と、素材の色をスライスダイヤモンドの表面に反映できるよう薄い板を敷くので、光を透過してしまうというスライスダイヤモンドの難点を、別の視点から優位点にすることができる。
【発明の効果】
【００１４】
この発明によれば、薄くカットされたスライスダイヤモンドを使用した装身具において、破損しやすいというスライスダイヤモンドの欠点を補い、さらには光を透過してしまうという欠点を薄い板をスライスダイヤモンドの下に敷くことによって解決できるので、製品としての安定性を得られ、広いデザイン展開をできるスライスダイヤモンドを使用した装身具の提供をできるようになった。
【図面の簡単な説明】
【００１５】
【図１】この発明の完成図である。
【００１６】
【図２】この発明の分解図である。
【発明を実施するための形態】
【００１７】
図１は、本発明の形態で、薄くカットされたスライスダイヤモンドを使用する装身具１０である。
【００１８】
本発明は、図２に示すように、スライスダイヤモンド１、貴金属製敷板２、宝石収納スペース装飾体３、宝石固定用爪４、装身具本体５から構成される。
【００１９】
［実施例１］
まず、装身具の全体のデザイン構成を行い、その後、スライスダイヤモンドの形状に合わせて、宝石収納スペース装飾体３をデザインする。
【００２０】
次に、スライスダイヤモンド１の形状に合わせて、貴金属製敷板２を製作する。このとき、敷板２の外径寸法は、スライスダイヤモンドとほぼ同じか、わずかだけ小さい寸法としておく。
【００２１】
宝石収納スペース装飾体３をＫ１８イエローゴールドで製作した。
【００２２】
このままスライスダイヤモンド１を設置すると、イエローゴールドの色味がスライスダイヤモンド１表面に見られるので、貴金属製敷板２はＫ１８ホワイトゴールドで製作した。
【００２３】
装身具本体５と宝石収納スペース装飾体３を接合し、完成品としての研磨を施すとともに、貴金属製敷板２も研磨を行う。
【００２４】
次に、貴金属製敷板２を宝石収納スペース装飾体３に設置した後、その上にスライスダイヤモンド１を設置する。
【００２５】
スライスダイヤモンド１をした後、宝石固定爪をスライスダイヤモンド１にわずかに触れる位置まで押し倒し、完成品装身具となる。
【００２６】
完成した装身具１０のスライスダイヤモンドの表面には、前述の貴金属製敷板２のホワイトゴールド色が反映され、非常に高級感のある装身具となった。
【００２７】
また、貴金属製敷板２をスライスダイヤモンドの下に敷くことによって強度が増したので、破損しやすいスライスダイヤモンドの欠点を補うことができた。
【００２８】
今回の製作は指輪として製作したが、ペンダントやピアスとして製作しても良い。
【産業上の利用可能性】
【００２９】
この発明の装身具は、スライスダイヤモンドのような薄い形状で、光を透過しやすい宝石を装身具に用いる場合に、非常に有効的な手段となり、破損の恐れがなく、デザインの展開も大きく拡げることのできる装身具を提供することが可能となった。
【符号の説明】
【００３０】
１    スライスダイヤモンド
２    貴金属製敷板
３    宝石収納スペース装飾体
４    宝石固定爪
５    装身具本体
１０  完成品装身具
【図１】
2017077420.tif 000003
【図２】
2017077420.tif 000004
(57)【要約】【課題】瀟洒な感じのする鉢植え盆栽を提供する。【解決手段】カップ状容器１に赤土、軽石粉末、および保水剤からなる土壌１０を充填し、盆栽２０を殖栽している。鉢植え盆栽用土壌は、赤土、軽石粉末、および保水剤からなる。黒松の葉の粉砕物を含有する腐葉土を混合してもよい。カップ状容器１に取っ手の付いたものや、カラフルなものを用いると、洋風の瀟洒な感じを演出できる。赤土と混ぜ合わせた保水剤により必要な水分を保持できる一方、軽石粉末が混入されていることで水の通りがよくなっているので、盆栽２０の根が腐ることがない。【選択図】図１
2017077222.tif 000002
【特許請求の範囲】
【請求項１】
赤土、軽石粉末、および保水剤からなる
ことを特徴とする鉢植え盆栽用土壌。
【請求項２】
黒松の葉の粉砕物を含有する腐葉土を混合した
ことを特徴とする請求項１記載の鉢植え盆栽用土壌。
【請求項３】
カップ状容器に請求項１または２記載の土壌を充填し、盆栽を殖栽した
ことを特徴とする鉢植え盆栽。
【発明の詳細な説明】
【技術分野】
【０００１】
本発明は、鉢植え盆栽に関する。さらに詳しくは、コーヒーカップ等を栽培容器に用いる鉢植え盆栽に関する。
【背景技術】
【０００２】
家屋内で盆栽等を鉢植え栽培するには、水の管理が重要となる。そこで、長期間水をやらなくても鉢植え栽培できるようにした従来技術として特許文献１がある。
この従来技術は、ポットの外周に給水タンクを形成し、ポット内部に下から順に保水層、撥水槽、砂、土を詰めたものである。
【０００３】
しかるに、上記従来技術では保水性が良すぎて、盆栽を栽培する際には、根腐りを起してしまうという問題がある。
一方、洋風化された現代のライフスタイルに合わせ、古い感じのする鉢植え盆栽でなく、カラフルで瀟洒な感じのする鉢植え盆栽を本発明者は提供したいと考えた。
【先行技術文献】
【特許文献】
【０００４】
【特許文献１】特開平６−１０５６２２号公報
【発明の概要】
【発明が解決しようとする課題】
【０００５】
本発明は上記事情に鑑み、瀟洒な感じのする鉢植え盆栽を提供することを目的とする。
【課題を解決するための手段】
【０００６】
第１発明の鉢植え盆栽用土壌は、赤土、軽石粉末、および保水剤からなることを特徴とする。
第２発明の鉢植え盆栽用土壌は、第１発明において、黒松の葉の粉砕物を含有する腐葉土を混合したことを特徴とする。
第３発明の鉢植え盆栽用は、カップ状容器に第１または第２発明の土壌を充填し、盆栽を殖栽したことを特徴とする。
【発明の効果】
【０００７】
第１発明によれば、赤土と混ぜ合わせた保水剤により必要な水分を保持できる一方、軽石粉末が混入されていることで水の通りがよくなっているので、盆栽の根が腐ることがない。
第２発明によれば、黒松の葉を成分とする腐葉土が盆栽に栄養を与えるので、盆栽が長期間栽培できる。
第３発明によれば、カップ状容器に取っ手の付いたものや、カラフルなものを用いると、洋風の瀟洒な感じを演出できる。
【図面の簡単な説明】
【０００８】
【図１】本発明の一実施形態に係る鉢植え盆栽の説明図である。
【発明を実施するための形態】
【０００９】
つぎに、本発明の実施形態を図面に基づき説明する。
本発明の実施形態は、図１に示すように、カップ状容器１と、それに用いられる土壌１０と、植栽される盆栽２０の組合せに特徴がある。
【００１０】
カップ状容器１は、家庭内で用いられる小形の容器を意味し、たとえばコーヒーカップやティーカップ、マグカップ、湯のみなどを例示できる。カップの取手は有っても無くてもよいが、取手が付いていると伝統的な盆栽の観念にとらわれない、洋風で現代的なインテリアになじませることができる。また、カラーは任意の色を用いることができ、原色に近いカラフルなものだと洋風の雰囲気となる。
【００１１】
図１に示すカップ状容器１は、カップ本体２に取っ手３が付いたもので、公知のコーヒーカップと同様な形状と大きさをもつものである。カップ本体２の底には通水孔４が開口しており、その上面には網５がおかれている。通水孔４の役目は余分な水を逃がすことにあり、網は土壌１０の洩れ防止にある。通水孔４の大きさは直径約１ｃｍ位であり、網５は通水孔４よりやや大きければよい。
【００１２】
カラフルなカップ状容器１を用いると、サイズが小さく軽いことから、持ち運びや室内の置き場を制約せず、室内の多様な場所に飾っておける。また、室内ですごく時間の長い女性でも気楽に楽しむことができる。
【００１３】
土壌１０は、赤土と軽石粉末とを混合して用い、これに保水剤を混合したものが用いられる。
赤土は火山灰から表層の黒土と下層の赤土に分化したもののうち、下層の土のことであり、火山灰土壌のうち有機物の少ない明るい褐色の心土をいう。鉄分に富む塩基性の火山灰ほど赤みが強い。このような赤土は粘土質であって保水性が高いという特徴がある。
【００１４】
軽石は、流紋岩、石英安山岩、安山岩などケイ素質の化学組成をもち、多孔質ガラス質の火山砕屑物の一種である。この軽石を粉末にして、赤土と混合するが、その理由は水の流れを確保する隙間を作るためである。
保水剤には、植物専用の保水剤が用いられ、たとえば商品名「Ｓｋｙ  Ｇｅl.（メビオール株式会社製）」が好適である。この保水剤を用いると、少量の使用で高い保水力を発揮する。
【００１５】
上記に加え、黒松の葉の粉砕物を混合したり表面にふりかけておくことがある。
黒松の葉の粉砕物は腐らせると腐葉土となり、抗菌性を発揮するようになる。このため、病気や害虫に強くなり、室内でも長く育てることができる。
【００１６】
配合割合は、重量比で、赤土が６〜７割、軽石の粉末が３〜２割、黒松の葉の粉砕物が１割以下、保水剤は重量で１割以下である。
【００１７】
本発明の土壌１０は、赤土と混ぜ合わせた保水剤により必要な水分を保持できる一方、軽石粉末が混入されていることで水の通りがよくなっているので、盆栽の根が腐ることがない。
黒松の葉を成分とする腐葉土が盆栽に栄養を与えるので、盆栽の長期間栽培ができる。
【００１８】
本発明の土壌は伝統的な盆栽用の土壌とはつぎの点で異なっている。
伝統的な盆栽用土壌は、川砂が８〜９割、赤土が２〜１割用いるが、本発明では川砂を全く使わない点が特徴の一つである。
川砂は川で採取した時点で様々な細菌が付着しているが、この細菌が室内で増殖すると盆栽の生命力を弱めるので好ましくない。
また、赤土の配合割合は、伝統的な盆栽用土壌では少ない（約２〜１割）が、本発明では多い（約６〜７割）である点で相違する。これは、保水力を高めて毎日水やりをしなくても盆栽を枯らすことがないようにするためである。
【００１９】
植栽する盆栽２０は、錦松や五葉松などの盆栽用の松であるが、カップ状容器１に植栽することから高さが１５ｃｍ位のものが好ましい。
【００２０】
本実施形態によれば、カップ状容器に取っ手の付いたものや、カラフルなものを用いると、洋風の瀟洒な感じを演出できる。
また、赤土と混ぜ合わせた保水剤により必要な水分を保持できる一方、軽石粉末が混入されていることで水の通りがよくなっているので、盆栽の根が腐ることがない。
【符号の説明】
【００２１】
１  カップ状容器
１０  土壌
２０  盆栽
【図１】
2017077222.tif 000003
(57)【要約】      （修正有）【課題】暗闇における、ペットの確認作用に優れ、利便性の高い蛍光スプレー型愛玩動物用形成物の提供をする。【解決手段】木陰など暗闇や夜間時のペットとの散歩の際に、スプレー容器からペットに直接吹付ける、愛玩動物身体用形成物によってペットの被毛に蛍光させる、発光作用を有する形成物により蛍光効果を奏する。この発光形成物は、ペットにとって害のある成分を含まないため、愛犬にも飼い主にも安心して使用できる点と、帰宅後はタオル等で簡単に拭うだけでよい。【選択図】なし【特許請求の範囲】
【請求項１】
本発明は、このような問題を鑑みて、確認作用に優れ、かつ、便利性、利用簡便性の高い蛍光スプレー型愛玩動物用形成物等を提供することを目的とする。
【発明の詳細な説明】
【技術分野】
【０００１】  本発明は、犬、猫等の愛玩動物に供する愛玩動物用身体用形成物に関し、特に、携帯性に優れたスプレー型の愛玩動物用形成物を蛍光スプレー型愛玩動物身体用組成物として使用する方法に関する。
【背景技術】
【０００２】  近年、犬猫等愛玩動物（以下、「ペット」と言う。）は、番犬としてのみならず、人間の心を癒す目的で家族の一員として人間と共に家屋内で飼育されることが多くなっている。特に一人暮らしの人にとっては話し相手にもなる大切なパートナーとして大きな役割を担っている。
ところで、ペットにとって、最適な運動となる散歩は不可欠である。
ペットも散歩は規則的に行う必要があるため、夜にも行われることが多い。しかし、夜の散歩の安全確認は、従来、引綱か衣類等に、反射テープのついた物しかなかったので、夜の散歩の時、愛犬を交通事故から守ってあげる事もできる。または、暗闇での迷子犬を早期発見しやすくなる。
【先行技術文献】
【発明の概要】
【特許が解決しようとする課題】
【０００３】  これまで、反射させる方法としては、ペット用ＬＥＤランプを装着させるか、もしくわ、反射するシートを首輪及び綱引きに装着させる方法しかなかった。しかし、ペット用の反射シートやＬＥＤランプだと後方から来る自動車運転手や歩行者からは高低差もあり非常に確認しずらい場合や、例えば、暗闇の木陰等には非常に認識しずらく適していない。
【０００４】  本発明は、このような問題を鑑みて、確認作用に優れ、かつ、便利性、利用簡便性の高い蛍光スプレー型愛玩動物用形成物等を提供することを目的とする。
【課題を解決するための手段】
【０００５】  使用するスプレー容器はとしては、トリガーノズル容器、ディスペンサータイプのポンプスプレー容器等の公知のスプレー容器を用いることができる。エアゾールスプレーを用いた場合であっても、容器内における形成物の全てが噴射されるまで良好な噴射状態を維持し得るという結果を奏することができる。
【０００６】  夜間時の散歩の際に、スプレー容器からペットに直接吹付ける。愛玩動物身体用形成物によってペットの被毛が蛍光される。発光作用を有する形成物により蛍光効果を奏する。なお、ペットにとって害のある成分を含まないため、愛犬にも飼い主にも安心して使用できる点と、帰宅後はタオル等で簡単に拭うだけでよい。
【０００７】  以上のように、本発明は蛍光スプレー型愛玩動物用形成物によれば、ペットの身体表面全体（すなわち、被毛及び表皮）に対して蛍光作用に優れた蛍光スプレー型の愛玩動物用形成物を提供できる。
また、スプレー型であるため携帯性、利用簡便性に優れ、例えば、散歩中に日が落ちて暗くなっても安易に対応ができる。
(57)【要約】      （修正有）【課題】ダンプの幅方向から突出する部分を抑えつつ、ダンプに積載された土砂を覆うことができる崩壊防止シートを提供する。【解決手段】崩壊防止シート１は、ダンプの箱に積載された土砂を覆い、筒状体に形成され、ダンプの箱の短辺方向に延びる本体１０と、一方に側縁がダンプの箱前方部分に接続され、他方の側縁が本体に接続され、本体の外面に巻かれるシ―ト２０と、本体の内部に固定され、本体の両端からそれぞれ突出した一対のシャフト３０を回転させる駆動部４０と、一対のシャフトに回転自在に一端がそれぞれ固定され、ダンプの箱の長辺方向にそれぞれ延びる一対の連結部５０と、本体と平行して延び、一対の連結部の他端に、両端がそれぞれ固定された補助部６０と、を備える。【選択図】図２
2017077844.tif 000002
【特許請求の範囲】
【請求項１】
ダンプの箱に積載された土砂を覆う崩壊防止であって、筒状体に形成され、ダンプの箱の短辺方向に延びる本体と、一方の側縁がダンプの箱の前方部分に接続され、他方の側縁が本体に接続され、本体の外面に巻かれるシ―トと、本体の内部に固定され、本体の両端からそれぞれ突出した一対のシャフトを回転させる駆動部と、一対のシャフトに回転自在に一端がそれぞれ固定され、ダンプの箱の長辺方向にそれぞれ延びる一対の連結部と、本体と平行して延び、一対の連結部の他端に、両端がそれぞれ固定された補助部と、を備える崩壊防止シート。                                                                  
【発明の詳細な説明】
【技術分野】
【０００１】
本発明は大型ダンプに積載された土砂に被せる崩壊防止シート関にする。  
【背景技術】
【０００２】
大型ダンプの運転士が工事現場で積み込み後に高速道路を乗るので崩壊防止シートを掛ける時に、横風に吹かれて荷台から落ちるという事故が絶えない。  
【０００３】
従来のダンプトラックには、荷台の側板の外側にシート枠が扇動可能に設けられているものが多いです。そしてこのシ―ト枠にはシ―トが張られており、土砂等を搭載して運搬する時このシ―ト枠を扇動させて積載の両側部に起立させ土砂の落下や飛散を防止している。                                                               
【０００４】
このようなシート枠として、特許文献1には荷台の側板に設けられ扇動軸に支持された主シ―ト枠とこのシ―ト枠の先端側に支軸を介して揺動可能に設けた補助シ―ト枠との二重折り畳みシ―ト枠で構成し主シ―ト枠の扇動起立作動に伴ってシ―ト枠を開きさせて、荷台の天界放部を覆うシ―ト枠が提案されている。特許文献1のシート枠によれば、大型ダンプか―の荷台に自動でシ―トがかぶさるので運転手がいちいち乗り降りしてシ―トを かぶせなくても、道路を汚さずに走れる。
【先行技術文献】
【特許文献】
【０００５】
【特許文献１】特開平10―244868号公報
【発明の概要】
【発明が解決しようとする課題】
【０００６】
しかしながら特許文献1のシート枠はダンプの幅方向回転してから荷台を覆うので、ダンプの幅方向にシート枠が回転するスペ-スがある場所でなければ、荷台を覆えない。ところが建築現場によってはダンプの幅方向に回転するスペ-スがとれない場合もある。また例えば大型ダンプカ―1日に5回運搬すると、荷台に上がるのは10回となり特に風が強い日や雨の日は危険が増大する。      
【０００７】
本発明はダンプの幅方向から突出する部分を抑えつつ、ダンプに積載された土砂を覆うことができる崩壊防止シートを提供することを目的とする。 
【課題を解決するための手段】
【０００８】
ダンプの箱に積載された土砂を覆う崩壊防止であって、筒状体に形成され、ダンプの箱の短辺方向に延びる本体と、一方の側縁がダンプの箱の前方部分に接続され、他方の側縁が本体に接続され、本体の外面に巻かれるシ―トと、本体の内部に固定され、本体の両端からそれぞれ突出した一対のシャフトを回転させる駆動部と、一対のシャフトに回転自在に一端がそれぞれ固定され、ダンプの箱の長辺方向にそれぞれ延びる一対の連結部と、本体と平行して延び、一対の連結部の他端に、両端がそれぞれ固定された補助部と、を備える崩壊防止シート。                                                               
【発明の効果】
【０００９】
本発明の崩壊防止シートにより、ダンプの幅方向から突出する部分を抑えつつ、ダンプに積載された土砂を覆うことができる。    
【図面の簡単な説明】
【００１０】
ダンプの幅方向から突出する部分を抑えつつ、ダンプに積載された土砂を覆うことができる崩壊防止シートを提供することができる。 
【００１１】
【図１】本発明の実施形態に係る。崩壊防止シート1がダンプの箱100に取り付けられた状態を示す図である。（ａ）は崩壊防止シート1を側面から視た図であり、（ｂ）は崩壊防止シート1を上面から視た図である。
【図２】本発明の実施形態に係る崩壊防止シ―ト1の全体を説明する図である。
【図３】本発明の実施形態に係る崩壊防止シート1の内部を説明する図である。
【発明を実施するための形態】
【００１２】
崩壊防止シート1は、ダンプ100の箱に積載された土砂を覆い、筒状体に形成され、ダンプの箱100の短辺方向に延びる本体10と、一方に側縁がダンプの箱100前方部分に接続され、他方の側縁が本体10に接続され、本体10の外面に巻かれるシ―ト20と、本体の内部に固定され、本体10の両端からそれぞれ突出した一対のシャフト30を回転させる駆動部40と、一対のシャフト30に回転自在に一端がそれぞれ固定され、ダンプの箱100の長辺方向にそれぞれ延びる一対の連結部50と、本体10と平行して延び、一対の連結部50の他端に、両端がそれぞれ固定された補助部60と、を備える。                                        
【００１３】
駆動部40はモ―タ41と、減速機42と、を有する。また、シート20の両側縁には、弾性変形可能なスチ―ルテープ70が設けられている。
【符号の説明】
【００１４】
1  崩壊防止シート    
10  本体  
20  シ―ト    
30  シャフト
40  駆動部    
41  モ−タ  
42  減速機  
50  連結部  
60  補助部  
70  スチ―ル板  
100  ダンプの箱
【図１】
2017077844.tif 000003
【図２】
2017077844.tif 000004
【図３】
2017077844.tif 000005
(57)【要約】      （修正有）【課題】鶏の手羽（手羽先・手羽中・手羽元）の骨を食べられるように、骨部分までやわらかくした、唐揚げや焼き物である食品の提供。【解決手段】飽和蒸気調理機に、鶏の手羽（手羽先・手羽中・手羽元）をセットして、飽和水蒸気の高い熱量と圧力で加熱して、骨をやわらかくしたものを下処理し、フライヤーやスチームコンベクションで再加熱することで、骨ごと食べられることを特徴とした、鶏の手羽（手羽先・手羽中・手羽元）の、唐揚げや焼き物である食品。【選択図】なし【特許請求の範囲】
【請求項１】
飽和蒸気調理機（１）に鶏の手羽（手羽先・手羽中・手羽元）（２）をセットし、飽和水蒸気の高い熱量と圧力で加熱して、骨をやわらかくしたものを下処理して、フライヤー（３）やスチームコンベクション（４）で再加熱して唐揚げや焼き物にした食べ物。
【発明の詳細な説明】
【技術分野】
【０００１】  この発明は魚の骨を高圧で食べられる状態にまでする飽和蒸気製法を利用して、鶏の手羽（手羽先・手羽中・手羽元）の骨部分までやわらかくしたものを唐揚げや焼き物にする。どこでも気軽に食べられる食品に関するものである。
【背景技術】
【０００２】  飽和蒸気製法を使用して骨まで食べられるイワシやサバなど、魚の製品の分野ではあったが、畜産の加工品では今まで無かった。畜産動物の骨をやわらかくして食べられるようにする、またはそういった事が可能だとは考えられてなかった。
【発明の概要】
【発明が解決しようとする課題】
【０００３】  これは次のような欠点があった。
従来、手羽先や手羽中の唐揚げや焼き物は食べるのに手や口が汚れて大変であった。また、手羽は食べられる部分が限られ、歩留まりが悪かった。骨は廃棄され、ゴミになっていた。誤って骨を食べると口や喉を傷つける可能性があり、高齢者や子供の食べ物としては適さなかった。
本発明は、以上のような欠点を無くすためになされたものである。
【課題を解決するための手段】
【０００４】  三浦工業（株）などの飽和蒸気調理機（１）に鶏の手羽（手羽先・手羽中・手羽元）（２）をセットし、飽和水蒸気の高い熱量と圧力で加熱して骨までやわらかくする。下処理後、それをフライヤー（３）で揚げる。またはスチームコンベクション（４）で加熱する。
本発明は、以上の構成よりなる骨ごと食べられる鶏の手羽（手羽先・手羽中・手羽元）の唐揚げや焼き物である。
【発明の効果】
【０００５】  骨まで食べられるので、手や口が汚れずに簡単に口に運ぶ事が出来る。棄てられていた骨が食べられるので、ゴミの軽減になりエコである。歩留まりも上がり、骨で口の中を怪我する事が無くなり、子供や高齢者が安心して口に入れる事が可能。カルシウムが多いので、小学校の給食への利用にも期待されるところであり、高齢者の骨粗鬆症の改善にも寄与出来る。
【発明を実施するための形態】
【０００６】  以下発明を実施するための形態について説明する。
飽和蒸気調理機（１）に鶏の手羽（手羽先・手羽中・手羽元）（２）をセットし、飽和水蒸気の高い熱量と圧力で加熱して骨をやわらかくする。更に下処理（唐揚げの場合は下味をつけ唐揚げ粉をまぶす）したものをフライヤー（３）やスチームコンベクション（４）で再加熱して唐揚げや焼き物にした食べ物である。外食やコンビニなど、食べ物屋で手軽に提供をする。
【符号の説明】
【０００７】１飽和蒸気調理機
２鶏の手羽（手羽先・手羽中・手羽元）
３フライヤー
４スチームコンベクション
(57)【要約】      （修正有）【課題】分かりやすく頭髪を切ることができるカット習得用くしを提供する。【解決手段】くしの表面に任意の角度線を、くしの上部からくし先に向かって上下に連続して任意の角度線をくしの表面に記したカット習得用くし。【選択図】図１
2017072814.tif 000002
【特許請求の範囲】
【請求項１】
くしの表面に任意の角度線を、くしの上部からくし先に向かって上下に連続して任意の角度線をくしの表面に記したカット習得用くし。
【請求項２】
任意の角度線を色分けした請求項１のカット習得用くし。
【発明の詳細な説明】
【技術分野】
【０００１】  本発明は、頭髪を切るときに使用するカット習得用くしに関するものである。
【背景技術】
【０００２】  従来、理・美容学校、理容室・美容室の技術者からの頭髪カット技術指導は口頭と手技によって実技指導を受けていた。
【発明の概要】
【発明が解決しようとする課題】
【０００３】  頭髪を形良く切って仕上げるには、くしの使い方、切る毛髪の角度や方向を覚える事が基本であるが、カット習得者はこれらを理解し実践に至るまでは多くの経験と実技実習の時間を必要とした。
本発明は、以上の問題点を解決するためになされたものである。
【課題を解決するための手段】
【０００４】  くしの表面に任意の角度線を、くしの上部からくし先に向かって上下に連続して任意の角度線をくしの表面に記したカット習得用くし。
【発明の効果】
【０００５】  本発明のくしを用いる事によって、頭髪を切る角度と方向が分かりやすくなりカット技術も正確になり、その事で、理容・美容学校の生徒の実技習得が早まりカット技術の自信につながるようになる。
【図面の簡単な説明】
【００００６】
【図１】  本発明の斜視図
【図２】  本発明の使用状態を示す斜視図
【図３】  本発明を用いた他の使用状態を示す斜視図
【図４】  本発明の色分けした斜視図
【発明を実施するための形態】
【０００７】  以下、本発明の実施の形態を説明する。
（イ）図１くし本体（１）に、くしの表面（２）の端部側面（４）からくしの表面（２）の端部側面（５）まで任意の角度線（３）をくし先（６）からくしの上部（７）に上下連続してくしの表面（２）に記す。
（ロ）端部側面（４）から端部側面（５）までくしの表面（２）に任意の角度線（３）を設ける。
（ハ）図４に示したように、くしの表面（２）に記した任意の角度線（３）を色分けする事によっても使用可能である。
（ニ）くし本体（１）に記した任意の角度線（３）は表面だけでなく両面に記しても良い。
本発明は以上のような講造である。
本発明を使用するときは、図２の示すように任意の角度線（３）は本実施例では９０°になっているがカットの仕方によって４５°等の任意に選定したものを用意しても良い。カットする毛束（８）の根元に端部側面（４）または、端部側面（５）のどちらかをカットする毛束（８）の根元あててカットする毛束（８）をくし先（６）で梳かしながら任意の角度線（３）の線と平行して毛束（８）の毛先（１０）を切る。
この手順を繰り返しながら頭部頭髪（９）の髪全体の毛先（１０）を切って形を仕上げる。
【符号の説明】
【０００８】１  くし本体、２  くしの表面、３  任意の角度線、４  端部側面、５  端部側面
６  くしの先、７  くしの上部、８  毛束、９  頭部頭髪、１０  毛先
【図１】
2017072814.tif 000003
【図２】
2017072814.tif 000004
【図３】
2017072814.tif 000005
【図４】
2017072814.tif 000006
(57)【要約】      （修正有）【課題】外から不正な方法によりサムターンを回すことを防止すると共に、帰宅時玄関ドアを開錠し、そのまま部屋に行き、内側からの玄関ドアの施錠忘れを防止するサムターンカバーを提供する。【解決手段】サムターンカバー１に磁石スイッチの一方５ａを組込み、磁石スイッチの他方をサムターン２に両面テープで貼付け、サムターンの回転に伴う磁石スイッチの一方５ａと磁石スイッチの他方との間隔の変化で電池４のスイッチが入り、ＬＥＤライト３を点灯・音を発し施錠忘れを報せる。【選択図】図２
2017072014.tif 000002
【特許請求の範囲】
【請求項１】
サムターンカバー（１）及びサムターン（２）に磁石スイッチ（５ａ．・５ｂ）を取付け、磁石の間隔により施錠、開錠をＬＥＤライト（３）と音で報せる。
【発明の詳細な説明】
【技術分野】
【０００１】本発明は鍵のかけ忘れを防止するためのサムターンカバーである
【背景技術】
【０００２】従来のサムターンカバーは単にドアの内側のサムターンと呼ばれる部分を外側から回すことを防止するものだが、本発明はそれに加えて施錠忘れを報せるものである。
【先行技術文献】
【０００３】
【特許文献１】
【非特許文献１】
【発明の概要】
【発明が解決しようとする課題】
【０００４】これは次のような欠点があった。
（イ）外から戻って室内に入ったとき施錠忘れを報せてくれない。
（ロ）外出する際の施錠忘れて報せてくれない。
本発明はその欠点を解消するためなされたものである。
【課題を解決するための手段】
【０００５】サムターンカバー（１）、サムターン（２）ＬＥＤライト（３）電池ボックス（４）磁石スイッチ（５ａ，ｂ）からなる。サムターンの一端に磁石スイッチ（５ｂ）の片方を貼付け、サムターンカバーにも磁石スイッチの他方を（５ａ）取り付ける。
【発明の効果】
【０００６】  （イ）外から戻って室内に入ったとき施錠忘れを報せてくれる。
（ロ）外出する際の施錠忘れて報せてくれる。
【図面の簡単な説明】
【０００７】
【図１】斜視図１  （サムターンカバー）
【図２】取付け図Ａ  （ドアに取付施錠時）
【図３】取付け図Ｂ  （ドアに取付開錠時）
【発明を実施するための形態】
【０００８】以下、本発明を実施するための最良の形態について説明する。
窓の開閉時に警報音が鳴る窓用アラームと同じ原理で磁石スイッチを利用する。
図１が本発明のサムターンカバーで背面の図である。磁石スイッチの片方をサムターンの一端（５ｂ）に貼付け、サムターンカバーにも磁石スイッチ他方（５ａ）を取付け、その一対の磁石の間隔が変化することでスイッチが作動し音を発しＬＥＤライトが点滅する。
図２・図３はドアに取付けたときの図である。
【符号の説明】
【０００９】１・サムターンカバー        ２・サムターン      ３・ＬＥＤライト
４・電池及び電子回路ボックス  ５・一対の磁石スイッチ（ａ・ｂ）
６・リード線    ７・両面テープ
【図１】
2017072014.tif 000003
【図２】
2017072014.tif 000004
【図３】
2017072014.tif 000005
(57)【要約】      （修正有）【課題】風誘導板で風を受け、室内に自然の風を取り込むための器具を提供する。【解決手段】二等辺等脚台形の長手底辺方向に開口した解放台形に於いて、短手辺とそれに連続する左右の２等辺の各々から直立的に立ち上がる二つのパネル板を設けて、これを風誘導板１と成し、左右の風誘導板とそれに挟まれて連続的一体の短手辺の上下端において、各々約１．５〜２．０ｃｍ幅で縁取り様に金属製の台形枠２を形成し、上下の台形枠の短手辺の各々において、一定間隔で２ヶ所に取付部を設けることを特徴とし、面格子あるいは窓枠から張り出した状態に設置し、屋外を通り抜ける左右の全ての風を風誘導板が受け、室内に風を取り込む器具である。【選択図】図１
2017072015.tif 000002
【特許請求の範囲】
【請求項１】
二等辺等脚台形の長手底辺方向に開口した解放台形に於いて、短手辺とそれに連続する左右の２等辺の各々から直立的に立ち上がる二つのパネル板を設けて、これを風誘導板と成し、左右の風誘導板とそれらに挟まれて連続的一体の短手辺の上下端において、各々約１．５〜２．０ｃｍ幅で縁取り様に金属製の台形枠を形成し、上下の台形枠の短手辺の各々において、一定間隔で２ヶ所に取付部を設けることを特徴とし、面格子あるいは窓枠から張り出した状態に設置し、屋外を通り抜ける左右の全ての風を風誘導板が受け、室内に風を取り込む器具。
【発明の詳細な説明】
【技術分野】
【０００１】  窓の外に取り付けて、外気を効果的に室内に取り込むための用具である。
【背景技術】
【０００２】  従来、窓のガラス面を室内側から押すと、支軸が伸び、ガラス面が左から右方面に突き出し、窓自体の開閉で風を取り込むタイプ（Ａ）の窓及び窓枠、また、下方向から上方向へ突き出すひさしのようなすべり出し窓などの上下解放タイプ（Ｂ）として知られており、いずれも窓や窓枠の技術によって、風の室内への流入量をコントロールしていた。
【発明の開示】
【発明が解決しようとする課題】
【０００３】  従来の器具には、次のような問題点があった。
上述のうち、タイプ（Ａ）は一方の風しか捕える事が出来ず、また、タイプ（Ｂ）の窓にあっては、窓の上下開閉のため、窓に直角に吹く風しか取らえられず、また、左右の風を捕える装置になっておらず室内に取り込む風の量も大きく制限されていた。
【課題を解決する為の手段】
【０００４】  二等辺等脚台形の長手底辺方向に開口した解放台形に於いて、短手辺とそれに連続する左右の２等辺の各々から直立的に立ち上がる二つのパネル板を設けて、これを風誘導板と成し、この左右の風誘導板、及びそれらに挟まれた短手辺の上下端において連続一体的に各々約１．５〜２．０ｃｍ幅で縁取り様に金属製の台形枠を形成する。上下の台形枠の短手辺の各々において、一定間隔で２ヶ所に取付部を設ける。
本発明は、以上のような構成よりなる室内に風を取り込む器具である。
【発明の効果】
【０００５】  この器具は屋外を吹く左右からの風を風誘導板で受け、網戸を通して室内に風を取り込むもので、左右からの全ての風を角度の付いた風誘導板が受け、自動的に室内に取り込むことが出来る。
室内に自然の風を取り込むことにより、冬場には結露対策、夏場にはさわやかな涼を得ることができ、熱中症対策にもなり、自然エネルギー活用による節電、機密性による弊害もなくなり健康的で、室内に虫が入らず快適に過ごすことが出来、窓外に格子を設けたのと同様の防犯対策にもなる。
【図面の簡単な説明】
【０００６】
【図１】  本発明の正面斜視図
【図２】  本発明を上部から見た平面図
【図３】  本発明を格子に取付けた状態を示す平面図
【図４】  本発明の使用状態を示す斜視図
【図５】  本発明を格子に設置した正面図
【発明を実施するための最良の形態】
【０００７】以下、図を参照しつつ本発明の実施例について説明する。
（イ）図１は本発明の一実施例を示す正面斜視図であるが、台形枠（２）の長手辺上部と下部辺に風誘導板（１）を固定する。
風誘導板（１）は屋外の吹き抜ける左右の風を受け止めて室内に取り込むため、ある程度の堅さと軽さを兼ね備えたプラスチック板が望ましい。
（ロ）台形枠（２）の長手辺上部・下部辺と風誘導板（１）の固定方法は、長手辺上部と下辺部・風誘導板（１）それぞれ３箇所に穴を開けボルトで固定する。（図１参照）
（ハ）格子の無い窓には台形枠（２）の台形枠の短手上辺（３）と下辺部（３）を窓枠に直接タッピングネジで固定する。
（ニ）格子（５）の設置されている窓には取付部（４）で格子（５）の２本の縦棒を挟み、台形枠の短手上辺（３）２箇所と短手下辺（３）２箇所をボルトで固定する。（図５参照）
（ホ）台形枠（２）は約１．５〜２．０ｃｍ幅で形成する。
（ヘ）台形枠（２）の構造は７０ｃｍ程のアルミ板を台形枠の短手上辺（３）・短手下辺（３）１６ｃｍ程確保し、左右を１３０度程曲げ、２７センチ程の長手辺を作る。
（ト）台形枠（２）と格子（５）の縦棒２本との取付け方法は取付部（４）を縦棒に挟み、取付部（４）の穴と台形枠の短手上辺（３）・短手下辺（３）各々２個の穴をボルトで固定させる。（図２参照）
（チ）取付部（４）の構造は管サドルで左右に穴が開いて、格子（５）の縦棒を挟み、台形枠の短手上辺（３）と短手下辺（３）をボルトで固定する金具である。（図３参照）
（リ）台形枠（２）と取付部（４）の材質は軽量で雨・熱に強い材質を使用する。
（ヌ）格子（５）の付いていない窓には台形枠の短手上辺（３）・短手下辺（３）の各々２箇所をタッピングネジで窓枠に直接固定させる。
（ル）この器具は台風など異常時には簡単に取り外しが出来る構造になっている。
（ヲ）取り外し方法は風誘導板（１）を固定させているボルトを取り外すことにより簡単に外せる。
本発明は以上のような構造で、これを使用するときは、窓を開け網戸（６）状態にし、角度の付いた風誘導板（１）が屋外を吹く左右の風を受け、風の全てを室内に取り込む事が出来る。
【符号の説明】
【０００８】（１）風誘導板、  （２）台形枠、  （３）台形枠の短手辺、（４）取付部、  （５）格子、  （６）網戸
【図１】
2017072015.tif 000003
【図２】
2017072015.tif 000004
【図３】
2017072015.tif 000005
【図４】
2017072015.tif 000006
【図５】
2017072015.tif 000007
(57)【要約】      （修正有）【課題】一定希望温度維持の実現を可能とする製品の方法を提供する。【解決手段】内器を磁器製、外器を陶器製として重ねて、二重器にすることで空間を作り、その空間を利用して熱源（発熱体・吸熱体）を入れる。【選択図】なし【特許請求の範囲】
【請求項１】
陶器、磁器の熱伝導性、保温性の特徴、特性を利用しての保温保冷の環境を器に実現する方法。
【請求項２】
内器を磁器製、外器を陶器製するとき抗菌性を付与することで抗菌制御が可能にする方法。
【請求項３】
内器を磁器製、外器を陶器製として重ねることで生まれる空間に冷熱源（氷、ドライアイス等冷熱源）、吸熱体を入れる方法。
【請求項４】
内器を磁器製、外器を陶器製として重ねることで生まれる空間に暖熱源（炭、石灰等熱源）、発熱体を入れる方法。
【請求項５】
内器を磁器製、外器を陶器製として重ねることで生まれる空間に蓄熱材、保冷材を入れる方法。
【発明の詳細な説明】
【課題】
陶器、磁器は気温により器の温度が著しく変化する。その陶器、磁器の保温保冷の環境を器に実現する。
【解決手段】
陶器、磁器の熱伝導性、保温性の特徴、特性を利用しての保温保冷の環境を器に実現する。二重器にすることで空間か生まれてその空間を利用して蓄熱材を入れることで一定希望温度維持の実現を可能とする。
【発明の詳細な説明】
【技術分野】
【００１】本発明は、器に盛りつけたものをはじめ、器上の温度を希望温度に保つことを、従来行われている方法より簡単に行うことができる。技術、製品の提供。
【背景技術】
【００２】従来は器を冷蔵庫で冷やす、器をお湯で温める等の方法で行っていたために希望温度を維持する時間が限られていた。【００３】従来の方法では器を長時間、冷温する必要があるため、維持管理が煩雑になる。【００４】従来の方法では器を出した時より周りの温度に影響を受けて均衡してゆくので希望温度を維持することが難しくなる。【００５】従来の方法では器を出した時より周りの温度に影響を受け雑菌の増殖を促進させる。
【発明が解決しようとする課題】
器の温度を保つことが、難しく器上の温度を、希望温度に長く保つことを可能とする。また、抗菌性が付与させることで雑菌の増殖も抑制制御することが可能となる。
【課題が解決するための手段】
【００６】この本発明は、陶器、磁器の熱伝導性、保温性の特徴、特性を利用、内器を磁器製、外器を陶器製として重ねることで生まれる空間に冷熱源、温熱源を入れることで、希望温度を維持する環境を器に実現する方法。
【発明を実施するための形態】
【００７】本発明は、陶器、磁器の熱伝導性、保温性の特徴、特性を利用することで実現する方法です。
【００８】内器を磁器製、外器を陶器製として重ねることで生まれる空間を利用して、熱源となる蓄熱材（部品）・吸熱材（部品）を入れる。
【００９】内器の表面温度を、希望温度の維持することが簡単にできる。
(57)【要約】【課題】運転をする自分は綺麗に曲がれても、それを『ウィンカーによって、的確に他に指し示して曲がれるか？』となると流石に著と怪しい。我々は事故を起こす可能性を、僅かにでも所持して車を運転しているのだ。ウィンカーについては点ける時期がいろいろあってややこしいが、交差点の手前３０ｍと言うのははっきりと決まっているので、ここは思い切って単純に道路に線を引いて行こう。【解決手段】車による右左折も想定される交差点域、手前３０ｍの道路上の地域に、車の進行方向に交差して線を引く。【選択図】図１
2017061842.tif 000002
【特許請求の範囲】
【請求項１】
車による右左折も想定される交差点域から手前３０ｍの道路上の地域に線幅を塗り足すことによって、車の進行方向に交差する形で交差点ウィンカーランプポイントゾーンを設置する。
【請求項２】
交差点ウィンカーランプポイントゾーンから、当該道路の制限速度で３秒手前の道路上の地域に線幅を塗り足すことによって、車線変更ウィンカーランプラストゾーンを設置する。
【請求項３】
当該、交差点ウィンカーランプポイントゾーン、車線変更ウィンカーランプラストゾーンの色は、よく使いかつ目立つ黄色か、白色、赤色が理想だが、何色でも何色交ぜてもよい。
【発明の詳細な説明】
【技術分野】
【０００１】ウィンカーランプの輝きは交通安全にとって非常に大切なものである、それは『点灯する自分自身の為に』と言うよりも、廻りからその輝きを見る他車のドライバー他にとって。
【背景技術】
【０００２】しかし、実際面ではなかなか思うようには行かないのも現実である。
毎日の運転では当然安全に過している人々が大半であるが、いつもの当然、当たり前が、なんとしたことか踏みにじられて、国内だけで年間約４，０００名の交通事故死者を発生させる。
【先行技術文献】
【特許文献】
【０００３】
【特許文献１】交差点、ウィンカー、３０ｍの３語で検索を掛けましたが、該当なし。
【発明の概要】
【発明が解決しようとする課題】
【０００４】ここで交通安全問題をあえて狭めて、交差点の右左折問題に限定して考察してみると、『交差点ではその３０ｍ手前でウィンカーを出すこと』と決まっている。
それは、まず健康な人なら確実に安全に曲がれるのだが、自分は綺麗に曲がれても、それを『ウィンカーによって、常に的確に他に指し示し曲がれるか？』となると流石に著と怪しい。
もちろん、そんな毎日のことで、事故などは起こさないのは当然として、そこでもしもの場合に備えて任意保険に加入していないか？又、運転結果としての事故率が如実に結果、事実を伝えてくれる。【０００５】当たり前だが、我々は事故を起こす可能性を、僅かにでも持って、所持して車を運転しているのだ。
ウィンカーについては点ける時期がいろいろあってややこしいが、交差点の手前３０ｍと言うのははっきりと決まっているので、この点では思い切って単純に道路に線幅を引いて行こう。
【課題を解決するための手段】
【０００６】車による右左折も想定される交差点域から手前３０ｍの道路上の地域に線幅を塗り足すことによって、車の進行方向に交差する形で交差点ウィンカーランプポイントゾーンを設置する。【０００７】交差点ウィンカーランプポイントゾーンから、さらにまた当該道路の制限速度で３秒手前の道路上の地域に線幅を塗り足すことによって、車線変更ウィンカーランプラストゾーンを設置する。【０００８】当該、交差点ウィンカーランプポイントゾーン、車線変更ウィンカーランプラストゾーンの色は、よく使いかつ目立つ黄色か、白色、赤色が理想だが、何色でも何色交ぜてもよい。
【発明の効果】
【０００９】頭の中の記憶に過ぎない３０ｍ手前という距離感が、線を引くことによって、ハッキリと目安としてあと何ｍの単位までわかり易くなる。
この効果は意外と大きく、多くの場合、過少に陥りやすかったウィンカー点滅開始ポイントが正常に近付き、又逆に過大になってしまいそうな場合にも、これが一助となり、他に対して曲がる交差点をよりハッキリ示し得る。【００１０】又、スピード違反が常態になっているわが国の場合であっても、これから他車とぶつかる可能性のある、又右左折することを仮に前提とおく、この場面では当該の可能性もほぼなくなっているであろう。
すなわち、制限速度も一応遵守されているものとみなされる。【００１１】これはウィンカーポイントの開始時期の話にとどまらず、直接的あるいは間接的に交通事故の発生、勃発と密接な一心同体とも云える意味を持つ。
もちろん、この制度は全国で一斉に行われる必要はまるでなく、過去の事故率の激しい順を基本として整備されればよいと考える。
【図面の簡単な説明】
【００１２】
【図１】問題となる交差点付近の図
【符号の説明】
【００１３】１  交差点ウィンカーランプポイントゾーン
（矢印及び線分の形は随意）
２  車線変更ウィンカーランプラストゾーン
（矢印及び線分の形は随意）
３  信号機
４  交差点地域
【図１】
2017061842.tif 000003
(57)【要約】【課題】    本発明はエンジンの各装置の改良をして燃料消費削減をするのではなく、エンジンの基本的動力発生システムの改善と改良をする事で効率の高い動力を得ることができる動力発生方法である。【解決手段】    現在のエンジンは空気と霧状帯の化石燃料（ガソリン）を混合した状態で内部に取り込み、吸入、圧縮、爆発、排気の各工程を経て駆動している。本発明はそれらの空気と化石燃料の混合帯に霧状帯の水を加える特徴を有している。つまり、爆発工程時、高温、高圧、状態に水分が添加されることで液体が気体に変化する、同時に気体体積も大きく膨張する事でシリンダー内の爆発圧力が上がり発生動力が大きくなる。従って、エンジンからの発生動力も強くなることで消費燃料が削減されるのである。  また、本発明は液体から気体に変化する相転移気体膨張を利用した動力発生と化石燃料から発生する動力との複数の動力源を利用した動力発生方法である。【特許請求の範囲】
【請求項１】
現在の内燃機関は空気取り入れ口から空気と霧状の化石燃料を取り込み、爆発燃焼させて発生した圧力を利用して動力を発生している。本発明の動力発生方法はそれらの空気と霧状の化石燃料に霧状の水を加えた物をエンジン内に取り込み動力を発生させる事で燃料消費量の削減と窒素酸化物などの公害物質の発生を抑制するなどの作用を得ることができるなどの特徴を持つ動力発生方法。
【発明の詳細な説明】
【技術分野】
【０００１】自動車は化石燃料を消費して動いています。従って、私たちは少しでも燃費の良い自動車を選んで使用しています。本発明は自動車運転において使用する化石燃料消費量を少なくする方法である。
【背景技術】
【０００２】  自動車の燃料消費量削減は各自動車製造会社で争うように研究開発が行われています。高速道路での高速走行安定性、山道でのコーナーリング性能、加速性能、その他、快適な運転に伴う性能を失うことなく燃料の削減を求められる。本発明はこれらの性能を失うことなく燃料消費の削減と同時に窒素酸化物などの排気ガス発生の抑制作用を得るものである。
特許文献に付きましては、調べましたが本発明に関連した同種の文献はありませんでした。
【発明の開示】
【発明が解決しようとする課題】
【０００３】  本発明はエンジンの各装置の改良をして燃料消費削減をするのではなく、エンジンの基本的動力発生システムの改善と改良をする事で効率の高い動力を得ることができる動力発生方法である。
【課題を解決するための手段】
【０００４】  現在のエンジンは空気と霧状帯の化石燃料（ガソリン）を混合した状態で内部に取り込み、吸入、圧縮、爆発、排気の各工程を経て駆動している。本発明はそれらの空気と化石燃料の混合帯に霧状帯の水を加える特徴を有している。つまり、爆発工程時、高温、高圧、状態に水分が添加されることで液体が気体に変化する、同時に気体体積も大きく膨張する事でシリンダー内の爆発圧力が上がり発生動力が大きくなる。従って、エンジンからの発生動力も強くなることで消費燃料が削減されるのである。
また、本発明は液体から気体に変化する相転移気体膨張を利用した動力発生と化石燃料から発生する動力との複数の動力源を利用した動力発生方法である。
【発明の効果】
【０００５】  本発明の効果を得るために、ホンダステップワゴン（中型車）を用いて燃料消費テスト走行を実施した結果、走行距離約２０ｋｍで本発明装置を組み込んだ場合と組み込まない通常の場合を対象試験の形態で行った結果、装置を組み込んだ場合、１リットルでの走行距離１２．６５ｋｍを示したのに対して通常の場合では１リットルでの走行距離は１０．９７ｋｍを示した、従って、本発明装置の燃料消費削減効果は１．６８ｋｍ走行距離を多く走ったことを示した。
【発明を実施するための最良の形態】
【０００６】  本発明の各装置の形態は、先ず水を収納する収納タンク、水を移動させるホース、さらにエンジン加熱温度を利用して水を加熱する金属製ホース、水の消費量を調整するバルブ、エンジン内に水を霧状に送り込むノズル、などを組み合わせてエンジン内部に適量の水を送り込む装置を用いる。
収納タンクを出た水は通常ホースを介して、金属ホース内に入り金属ホースの熱を取り込む事で水の温度が上昇する。上昇した水はさらに進みエンジンの空気取り入れ口付近に設置されたノズルを通過することで霧状になり吸気管を介してシリンダー内部に取り込まれる。
水の移動エネルギーはエンジンが駆動することで発生する吸気管内部の気圧の低下作用を利用している。従って、シリンダー内に取り込まれる水の量は走行時の空気取り入れ口の気圧の変化数値に比例する。
本発明の特徴は液体が気体になる時の体積の膨張作用を利用している従って、シリンダー内の圧縮比が高いほど強い効果が得られる特徴を有している。従って  ディゼルエンジンでは燃料消費削減効果が大きいなどの特徴がある。
【実施例】
【０００７】  本発明の内燃機関（エンジン）の燃料消費削減試験はホンダ製ステップワゴン車を用いて行った。本発明の動力発生且つ走行時の特徴は、エンジン回転数２０００回転以上では発明効果が明確に感じることができる。さらに急勾配の登り坂での走行ではより強い動力の発生が感じられた。エンジン回転数１５００回転以下では通常のエンジンと変わらず発明効果は感じられなかった。交差点での停止時においてはエンジン内に水を入れない方が、エンジン回転が安定するようだ。従って、１５００回転数以下では水の供給を停止、１５００回転数以上では水を供給することが良好と思われる。燃料消費削減数値は上記に示した「発明の効果」数値である。
【産業上の利用可能性】
【０００８】  私たちの暮らしにおいて自動車はなくてはならない物となり、重要な生活必需品となっています。しかし使用するにおいて化石燃料を使うと同時に窒素酸化物などの環境汚染の原因になっています。従って  本発明方法である燃料消費削減効果を活用する事で、経済的効果と環境汚染の抑制効果を得ることができるのである。